(57)【特許請求の範囲】
【請求項１】
所定間隙毎に吊設されてその水平片によりケーブルラックを支持するＬ型アングルに装着されるケーブル延線用仮設足場材であって、
第１の挿入孔が穿設された筒状の第１の保持部、溝の長さ方向が上記第１の挿入孔の孔中心と平行となるように上記第１の保持部の上部に上記第１の保持部と一体に形成され、上記Ｌ型アングルの水平片が上記第１の保持部の一側から挿入されるコ字状断面を有する把持部、および、上記第１の保持部の他側に上記第１の保持部と一体に形成され、第２の挿入孔が孔中心を上記第１の挿入孔の孔中心と平行となるように穿設された筒状の第２の保持部を有する保持枠と、
上記把持部に挿入された上記Ｌ型アングルを上記保持枠に固定するアングル固定手段と、
上記第２の保持部から上記Ｌ型アングルと略平行に延出するように上記第２の挿入孔に挿通される第２の足場板支持材と、
上記第１の挿入孔に挿脱可能に装着され、該第１の挿入孔に両端を突出させて挿通される筒状の本体部、および、該本体部の両端から下方に垂下され、下端に挿入穴が設けられた一対の吊り下げ部を有する高さ調整部材と、
上記高さ調整部材から上記Ｌ型アングルと略平行に延出するように上記一対の吊り下げ部の各挿入穴に挿通される第１の足場板支持材
とを備えたことを特徴とするケーブル延線用仮設足場材。
【請求項２】
上記本体部は、切り欠き部がその両端下辺にそれぞれ設けられ、穴がその両端部の両側辺に相対するように穿設されており、上記吊り下げ部は、軸受部がその上端に設けられており、上記吊り下げ部は、上記本体部内に挿入された上記軸受部が上記穴に挿通された軸部によって軸着されて上記本体部に取り付けられていることを特徴とする請求項１記載のケーブル延線用仮設足場材。
【請求項３】
上記穴は、上記本体部の長さ方向を長手方向とする長穴に形成されていることを特徴とする請求項２記載のケーブル延線用仮設足場材。
【請求項４】
上記吊り下げ部が伸縮自在に構成されていることを特徴とする請求項１乃至請求項３のいずれかに記載のケーブル延線用仮設足場材。
【発明の詳細な説明】
【０００１】
【発明の属する技術分野】
この発明は、例えばプラント建設におけるケーブル布設作業時に作業用足場をケーブルラック横に仮設する際に用いられるケーブル延線用仮設足場材に関するものである。
【０００２】
【従来の技術】
従来、プラント建設におけるケーブル布設作業では、空中に延設されたケーブルラックに沿って床上に単管足場を組み上げ、組み上げられた単管足場間に足場板を架設した後、作業者が足場板に乗ってケーブルをケーブルラック内に収納・整線して布設していた。
しかしながら、従来のケーブル布設作業では、多数の足場材が必要となり、足場材の搬入、組立、解体並びに撤去に多大な労力を要するとともに、工費が増大してしまうという問題があった。また、単管足場の組立・解体にスパナ等の手工具が必要となり、かつ、高所での作業となり、作業負荷が増大してしまうという問題があった。さらには、床上に据え付けられた単管足場の占有するスペースが広く、かつ、長期に渡って占有することになり、人や車の通行の障害になるとともに、ケーブルラック下の機械配管工事等の工事が併行されるような場合には、その工事が遅れ、工期が長期化するという問題もあった。
【０００３】
このような従来の状況を鑑み、本出願人は、床上に据え付けられる単管足場を不要とし、手工具による作業をなくし、さらにはケーブルラック下のスペースを開放することができるように、天井から吊設されたラック支持用のＬ型アングルを利用して空中に足場を組み立てられるケーブル延線用仮設足場材（ケーブル延線用仮設足場材）を特願平１１−３１０７７８号に提案している。
【０００４】
図８は特願平１１−３１０７７８号に記載されたケーブル延線用仮設足場材を示す分解斜視図である。
図８において、ケーブル延線用仮設足場材１は、Ｌ型アングル２に取り付けられる保持枠３と、この保持枠３からＬ型アングル２と平行に延出されて足場板を支持する足場板支持材４とから構成されている。このケーブル延線用仮設足場材１は、軽量化を図るために、アルミの引き抜き加工により作製されている。
保持枠３は、足場板支持材４を挿入するための矩形断面の挿入孔１０ａが設けられた中空の保持部１０と、この保持部１０の一側に一体に設けられ、Ｌ型アングル２の水平片２ａを挿入するための溝１１ａを有する断面コ字状の把持部１１と、この把持部１１の下部に保持部１０および把持部１１と一体に設けられ、Ｌ型アングル２の鉛直片２ｂを支持する支持腕１２と、この支持腕１２の先端から下方に、かつ、溝１１ａの長さ方向と平行に延設された第１の取付片１３と、この支持腕１２の根元部から下方に、かつ、第１の取付片１３と平行に延設された第２の取付片１４とを備えている。
【０００５】
また、Ｌ字状の操作ハンドル１５が保持部１０側から第１および第２の取付片１３、１４を溝１１ａの深さ方向に貫通して回動自在に配設されている。そして、短尺の平板状の第１の押さえ板１６が、その一端側を第１の取付片１３からの操作ハンドル１５の延出端１５ａに固着されて、第１の取付板１３に取り付けられている。また、短尺の平板状の第２の押さえ板１７が、その一端側を操作ハンドル１５の延出端１５ａから溝１１ａの長さ方向に所定距離離れて第１の取付片１３に立設された軸１８周りに回動自在に取り付けられている。さらに、平板状の連結板１９が、その両端をそれぞれ第１および第２の押さえ板１６、１７に立設された軸２０、２１周りに回動自在に取り付けられて、第１および第２の押さえ板１６、１７を連結している。これにより、操作ハンドル１５を図８中矢印の方向に回動させることで、第１および第２の押さえ板１６、１７が軸２０、２１周りに回動して立ち上がり、Ｌ型アングル２の抜けを防止している。
また、係止穴２２、２３がそれぞれ延出端１５ａと軸１８とに対応するように把持部１１の上片１１ｂに穿設され、立ち上がった第１および第２の押さえ板１６、１７の他端側が挿入されて係止されるようになっている。
【０００６】
つぎに、このように構成されたケーブル延線用仮設足場材１を用いたケーブル布設作業について説明する。
ケーブルを収納するケーブルラック５は、平行に配置された一対の親桁５ａの底部を子桁５ｂで連結して作製され、天井から所定間隔毎に対をなして吊設された吊りボルト８に装着されたＬ型アングル２に架設されている。
まず、梯子やローリングタワー等を使用して、天井から吊設されたケーブルラック５の延設経路に沿って、各Ｌ型アングル２へのケーブル延線用仮設足場材１の装着を行う。つまり、把持部１１の溝１１ａ内にＬ型アングル２の水平片２ａを挿入し、操作ハンドル１５を回動して第１および第２の押さえ板１６、１７を立ち上げ、立ち上がった第１および第２の押さえ板１６、１７の他端側を係止穴２２、２３に挿入・係止することで、保持枠３をＬ型アングル２に装着する。ついで、足場板支持材４を保持部１０の挿入孔１０ａに挿入し、固定ネジ（図示せず）を締着することで、ケーブル延線用仮設足場材１が各Ｌ型アングル２に装着される。この時、足場板支持材４は、図９に示されるように、ケーブルラック５の一側に延出している。
ついで、足場板６を隣り合う足場板支持材４に架設し、固定金具（図示せず）を用いて足場板６を足場板支持材４に固定する。さらに、手摺り用管材（図示せず）を足場板支持材４に立設された支柱７間に架設して、仮設足場が組み上げられる。
そこで、作業者は、足場板６に乗り、ケーブルをケーブルラック５内に収納・整線して、布設する。
ケーブルの布設が完了すれば、梯子やローリングタワー等を使用して、ケーブルラック５の延設経路の一端側から他端側に移動しつつ、支柱７、手摺り用管材、足場板６、ケーブル延線用仮設足場材１等を順次取り外し、足場を解体、撤去する。
【０００７】
【発明が解決しようとする課題】
本出願人が先に提案したケーブル延線用仮設足場材１は、以上のように構成されているので、床上に据え付けられる単管足場を不要とし、手工具による作業をなくし、さらにはケーブルラック下のスペースを開放することができるという効果が得られる。
しかしながら、ケーブル延線用仮設足場材１がケーブルラック５を支持するＬ型アングル２に取り付けられるので、その足場板支持材４に架設される足場板６はケーブルラック５と同等の高さ位置となってしまい、作業者は体をかがめての延線作業となり、つまり作業者に窮屈な作業姿勢を強いることになり、作業効率が低下するという課題があった。
この不具合を解決するために、図１０に示されるように、各吊りボルト８に長ナット９でさらに吊りボルト８Ａを連結し、吊りボルト８ＡにダミーＬ型アングル２Ａを装着してケーブル延線用仮設足場材１の取付位置を下げることも考えられる。しかしながら、この方法では、その都度ダミーＬ型アングル２Ａ、吊りボルト８Ａ、長ナット９の部品が必要となると共に、アングルをもう一段吊設する作業が必要となり、コストおよび作業時間が増大してしまうという新たな課題が発生してしまう。さらに、ダミーＬ型アングル２Ａがケーブルラック５により連結されていないので、個々のダミーＬ型アングル２Ａが揺れやすく、安定性の面で問題があった。
【０００８】
この発明は、上記のような課題を解決するためになされたもので、足場板支持材の高さ位置を簡易に調整できるようにし、体をかがめての延線作業をなくし、作業者の作業効率を向上できるケーブル延線用仮設足場材を得ることを目的とする。
【０００９】
【課題を解決するための手段】
この発明に係るケーブル延線用仮設足場材は、所定間隙毎に吊設されてその水平片によりケーブルラックを支持するＬ型アングルに装着されるケーブル延線用仮設足場材であって、第１の挿入孔が穿設された筒状の第１の保持部、溝の長さ方向が上記第１の挿入孔の孔中心と平行となるように上記第１の保持部の上部に上記第１の保持部と一体に形成され、上記Ｌ型アングルの水平片が上記第１の保持部の一側から挿入されるコ字状断面を有する把持部、および、上記第１の保持部の他側に上記第１の保持部と一体に形成され、第２の挿入孔が孔中心を上記第１の挿入孔の孔中心と平行となるように穿設された筒状の第２の保持部を有する保持枠と、上記把持部に挿入された上記Ｌ型アングルを上記保持枠に固定するアングル固定手段と、上記第２の保持部から上記Ｌ型アングルと略平行に延出するように上記第２の挿入孔に挿通される第２の足場板支持材と、上記第１の挿入孔に挿脱可能に装着され、該第１の挿入孔に両端を突出させて挿通される筒状の本体部、および、該本体部の両端から下方に垂下され、下端に挿入穴が設けられた一対の吊り下げ部を有する高さ調整部材と、上記高さ調整部材から上記Ｌ型アングルと略平行に延出するように上記一対の吊り下げ部の各挿入穴に挿通される第１の足場板支持材とを備えたものである。
【００１０】
また、上記本体部は、切り欠き部がその両端下辺にそれぞれ設けられ、穴がその両端部の両側辺に相対するように穿設されており、上記吊り下げ部は、軸受部がその上端に設けられており、上記吊り下げ部は、上記本体部内に挿入された上記軸受部が上記穴に挿通された軸部によって軸着されて上記本体部に取り付けられているものである。
【００１１】
また、上記穴は、上記本体部の長さ方向を長手方向とする長穴に形成されているものである。
【００１２】
また、上記吊り下げ部が伸縮自在に構成されているものである。
【００１３】
【発明の実施の形態】
以下、この発明の実施の形態を図について説明する。
実施の形態１．
図１はこの発明の実施の形態１に係るケーブル延線用仮設足場材の構成を説明する分解斜視図、図２はこの発明の実施の形態１に係るケーブル延線用仮設足場材における高さ調整部材の構成を示す要部分解斜視図、図３および図４はそれぞれこの発明の実施の形態１に係るケーブル延線用仮設足場材における高さ調整部材の動作を説明する斜視図、図５はこの発明の実施の形態１に係るケーブル延線用仮設足場材における高さ調整部材の動作を説明する正面図、図６はこの発明の実施の形態１に係るケーブル延線用仮設足場材の取付状態を示す斜視図である。
【００１４】
図１において、ケーブル延線用仮設足場材１００は、Ｌ型アングル２に取り付けられる保持枠３と、この保持枠３からＬ型アングル２と平行に延出されて足場板を支持する第２の足場板支持材としての足場板支持材４と、保持枠３に取り付けられて足場板の高さを調整する高さ調整部材３０と、高さ調整部材３０からＬ型アングル２と平行に延出されて足場板を支持する第１の足場板支持材としての足場板支持材４０とから構成されている。このケーブル延線用仮設足場材１００は、軽量化を図るために、アルミの引き抜き加工により作製されている。
【００１５】
保持枠３は、足場板支持材４を挿入するための矩形断面の挿入孔（第２の挿入孔）１０ａが設けられた筒状の保持部（第２の保持部）１０と、この保持部１０の一側に一体に設けられ、Ｌ型アングル２の水平片２ａを挿入するための溝１１ａを有する断面コ字状の把持部１１と、この把持部１１の下部に保持部１０および把持部１１と一体に設けられ、Ｌ型アングル２の鉛直片２ｂを支持する支持腕１２と、この支持腕１２の先端から下方に、かつ、溝１１ａの長さ方向と平行に延設された第１の取付片１３と、この支持腕１２の根元部から下方に、かつ、第１の取付片１３と平行に延設された第２の取付片１４とを備えている。
ここで、保持部１０の一側の壁部、把持部１１の下片および支持腕１２により筒状の保持部（第１の保持部）が構成され、その挿入孔（第１の挿入孔）２９が孔中心を挿入孔１０ａの孔中心と平行に形成されている。
【００１６】
また、Ｌ字状の操作ハンドル１５が保持部１０側から第１および第２の取付片１３、１４を溝１１ａの深さ方向に貫通して回動自在に配設されている。そして、短尺の平板状の第１の押さえ板１６が、その一端側を第１の取付片１３からの操作ハンドル１５の延出端１５ａに固着されて、第１の取付板１３に取り付けられている。また、短尺の平板状の第２の押さえ板１７が、その一端側を操作ハンドル１５の延出端１５ａから溝１１ａの長さ方向に所定距離離れて第１の取付片１３に立設された軸１８周りに回動自在に取り付けられている。さらに、平板状の連結板１９が、その両端をそれぞれ第１および第２の押さえ板１６、１７に立設された軸２０、２１周りに回動自在に取り付けられて、第１および第２の押さえ板１６、１７を連結している。これにより、操作ハンドル１５を図１中矢印の方向に回動させることで、第１および第２の押さえ板１６、１７が軸２０、２１周りに回動して立ち上がり、Ｌ型アングル２の抜けを防止している。また、係止穴２２、２３がそれぞれ延出端１５ａと軸１８とに対応するように把持部１１の上片１１ｂに穿設され、立ち上がった第１および第２の押さえ板１６、１７の他端側が挿入されて係止されるようになっている。これにより、アングル固定手段が構成されている。
【００１７】
足場板支持材４は、アルミの引き抜き加工により保持部１０の挿入孔１０ａの内径形状と略一致する矩形外径形状の中空角棒体に成形されている。
【００１８】
高さ調整部材３０は、アルミの引き抜き加工により挿入孔２９の内径形状に略一致する矩形の外径形状に筒状体に成形されｔａ本体部３１と、本体部３１の両端部に取り付けられる一対の吊り下げ部３２とから構成されている。
本体部３１は、挿入孔２９に挿通された際に、両端部が挿入孔２９から延出する長さに形成されている。そして、切り欠き部３１ａが本体部３１の両端下辺に設けられ、長穴３１ｂが本体部３１の両端側の両側辺に相対するように穿設されている。なお、各長穴３１ｂは、本体部３１の長さ方向を長手方向としている。
吊り下げ部３２は、長尺の角パイプ３３と、角パイプ３３の上端に溶接により固着された軸受部３４と、角パイプ３３の下端に溶接により固着された受部３４とから構成されている。軸受部３４には孔３４ａが穿設され、受部３５には挿入孔３５ａおよびピン穴３５ｂが形成されている。
【００１９】
そして、吊り下げ部３２は、図２に示されるように、軸受部３４が切り欠き部３１ａから本体部３１内に挿入され、軸部３６が本体部３１の一側から長穴３１ｂ、軸受部３４の孔３４ａ、さらに他方の長穴３１ｂに通され、止めねじ３７が本体部３１の他側から軸部３６のねじ穴３６ａに螺着されて、本体部３１に取り付けられている。このように、吊り下げ部３２は軸受部３４を軸部３６により軸着されて、軸部３６周りに回動可能に本体部３１に装着されている。
【００２０】
足場板支持材４０は、受部３５の挿入孔３５ａの内径形状と略一致する外径形状の角パイプで作製されており、支柱７Ａを立設するための受部４０ａが一端に設けられている。さらに、貫通穴４０ｂが角パイプの長さ方向に複数穿設されている。そして、この足場板支持材４０は、一対の吊り下げ部３２の挿入孔３５ａに挿通され、ピン３８をピン穴３５ｂおよび貫通穴４０ｂに通されて、ピン３８の先端に設けられた抜け止めばね３８ａにより抜けが防止されている。この時、貫通穴４０ｂが角パイプの長さ方向に複数穿設されているので、足場板支持材４０の延出長さを調整することができる。
【００２１】
ここで、高さ調整部材３０の動作について図３乃至図５を参照しつつ説明する。
まず、吊り下げ部３２を本体部３１と一直線となるように軸部３６（軸部止めねじ３７）周りに回動させ、その後本体部３１内に押し込むことで、軸部３６が長穴３１ｂに案内されて吊り下げ部３２の先端側が本体部３１内に挿入される。これにより、図３に示されるように、吊り下げ部３２は本体部３１の下面端部に受けられて本体部３１と略一直線の姿勢に維持される。
ついで、吊り下げ部３２を本体部３１から引き出すことで、軸部３６が長穴３１ｂに案内されて長穴３１ｂの端部まで移動する。そこで、吊り下げ部３２の把持を解除すると、吊り下げ部３２は自重により軸部３６周りに回動し、図４に示されるように、本体部３１の端部から垂下される。この時、吊り下げ部３２の上端側は切り欠き部３１ａ内に位置している。
なお、吊り下げ部３２の全体的な動作は図５に示される。
【００２２】
つぎに、このように構成されたケーブル延線用仮設足場材１００を用いたケーブル布設作業について図６を参照しつつ説明する。
ケーブルを収納するケーブルラック５は、平行に配置された一対の親桁５ａの底部を子桁５ｂで連結して作製され、天井から所定間隔毎に対をなして吊設された吊りボルト８に装着されたＬ型アングル２に架設されている。
まず、梯子やローリングタワー等を使用して、天井から吊設されたケーブルラック５の延設経路に沿って、各Ｌ型アングル２へのケーブル延線用仮設足場材１００の装着を行う。つまり、把持部１１の溝１１ａ内にＬ型アングル２の水平片２ａを挿入し、操作ハンドル１５を回動して第１および第２の押さえ板１６、１７を立ち上げ、立ち上がった第１および第２の押さえ板１６、１７の他端側を係止穴２２、２３に挿入・係止することで、保持枠３をＬ型アングル２に装着する。
【００２３】
ついで、図３に示されるように、一方の吊り下げ部３２を本体部３１と略一直線の状態とし、一方の吊り下げ部３２を保持部３の挿入孔２９に差し込む。そして、一方の吊り下げ部３２が挿入孔２９から完全に延出した後、吊り下げ部３２を図４に示されるように垂下させる。これにより、本体部３１が両端を延出させて挿入孔２９に収納され、一対の吊り下げ部３２が挿入孔２９の両側で本体部３１の端部から垂下して、高さ調整部材３０が取り付けられる。
そこで、足場板支持材４０が一対の吊り下げ部３２の受部３５の挿入孔３５ａに挿入される。そして、ピン３８がピン穴３５ｂおよび貫通穴４０ｂに差し込まれ、ラック延線用仮設足場材１００が各Ｌ型アングル２に装着される。この時、足場板支持材４０は、図６に示されるように、ケーブルラック５の一側に延出している。
【００２４】
ついで、足場板６を隣り合う足場板支持材４０に架設し、固定金具（図示せず）を用いて足場板６を足場板支持材４０に固定する。さらに、手摺り用管材（図示せず）を足場板支持材４０に立設された支柱７Ａ間に架設して、仮設足場が組み上げられる。
そこで、作業者は、足場板６に乗り、ケーブルをケーブルラック５内に収納・整線して、布設する。
この時、ケーブルラック５が複数段に配置されていれば、下段側のケーブルラック５にケーブルの布設が完了した後、架設足場上を移動しつつ、足場板支持材４を保持部１０の挿入孔１０ａに挿入し、固定ネジ（図示せず）を締着する。そして、足場板６を隣り合う足場板支持材４に架設し、固定金具（図示せず）を用いて足場板６を足場板支持材４に固定する。さらに、手摺り用管材（図示せず）を足場板支持材４に立設された支柱７間に架設して、図９と同様に、仮設足場が組み上げられる。その後、ケーブルを上段側のケーブルラック５内に収納・整線して、布設することになる。
このようにして、ケーブルの布設が完了すれば、梯子やローリングタワー等を使用して、ケーブルラック５の延設経路の一端側から他端側に移動しつつ、支柱７、７Ａ、手摺り用管材、足場板６、ケーブル延線用仮設足場材１００等を順次取り外し、足場を解体、撤去する。
【００２５】
このように、この実施の形態１によれば、高さ調整部材３０を用いて足場板支持材４０の取付位置をＬ型アングル２より低い位置に調整できるので、作業者は体をかがめて延線作業することはなく、つまり作業者に窮屈な作業姿勢が強いられず、作業効率を向上させることができる。
また、高さ調整部材３０が挿入孔２９に挿入され、さらに足場板支持材４が挿入孔１０ａに挿入されるようになっているので、足場板６の架設位置が２段階に調整でき、ケーブルラック５が多段に設置されていても、作業者に窮屈な作業姿勢を強いることはない。
また、足場板６の架設位置を調整する都度、アングルをもう一段吊設置する必要がなく、作業時間を短縮することができる。また、ダミーＬ型アングル２Ａ、吊りボルト８Ａ、長ナット９の部品も必要なく、低コスト化が図られる。さらに、ダミーＬ型アングル２Ａが不要となるので、架設された足場板６の揺れが抑制され、安定性の面でも良好となる。
【００２６】
また、本体部３１は、切り欠き部３１ａがその両端下辺にそれぞれ設けられ、長穴３１ｂがその両端部の両側辺に相対するように穿設されており、吊り下げ部３２は、軸受部３４がその上端に設けられており、吊り下げ部３２は、本体部３１内に挿入された軸受部３４が長穴３１ｂに挿通された軸部３６によって軸着されて本体部３１に取り付けられているので、吊り下げ部３２を軸部３６周りに回動させて本体部３１と略一直線の姿勢として挿入孔２９に挿入できるとともに、吊り下げ部３２が自重により軸部３６周りに回動して本体部３１の両端部から垂下する姿勢を採ることができ、高さ調整部材３０の装着性が向上される。
【００２７】
また、長穴３１ｂは、本体部３１の長さ方向を長手方向として形成されているので、吊り下げ部３２を軸部３６周りに回動させて本体部３１と略一直線とした後に本体部３１内に押し入れることで、吊り下げ部３２を本体部３１と略一直線の姿勢に維持でき、装着性がさらに向上される。
【００２８】
実施の形態２．
上記実施の形態１では、吊り下げ部３２が１本の角パイプ３３により形成されているものとしているが、この実施の形態２では、図７に示されるように、吊り下げ部３２Ａが２重の内および外角パイプ３３Ａ、３３Ｂで構成され、伸縮自在に構成されているものである。
この実施の形態２によれば、内角パイプ３３Ｂを外角パイプ３３Ａから所定長さ延出させ、ピン３９を穴３３ａに差し込んで抜けが防止されている。従って、ケーブルラック５の設置段数に合わせて足場板支持材４０の高さ位置を多段に調整でき、作業者の作業効率をさらに向上できる。
【００２９】
【発明の効果】
この発明は、以上のように構成されているので、以下に記載されるような効果を奏する。
【００３０】
この発明によれば、所定間隙毎に吊設されてその水平片によりケーブルラックを支持するＬ型アングルに装着されるケーブル延線用仮設足場材であって、第１の挿入孔が穿設された筒状の第１の保持部、溝の長さ方向が上記第１の挿入孔の孔中心と平行となるように上記第１の保持部の上部に上記第１の保持部と一体に形成され、上記Ｌ型アングルの水平片が上記第１の保持部の一側から挿入されるコ字状断面を有する把持部、および、上記第１の保持部の他側に上記第１の保持部と一体に形成され、第２の挿入孔が孔中心を上記第１の挿入孔の孔中心と平行となるように穿設された筒状の第２の保持部を有する保持枠と、上記把持部に挿入された上記Ｌ型アングルを上記保持枠に固定するアングル固定手段と、上記第２の保持部から上記Ｌ型アングルと略平行に延出するように上記第２の挿入孔に挿通される第２の足場板支持材と、上記第１の挿入孔に挿脱可能に装着され、該第１の挿入孔に両端を突出させて挿通される筒状の本体部、および、該本体部の両端から下方に垂下され、下端に挿入穴が設けられた一対の吊り下げ部を有する高さ調整部材と、上記高さ調整部材から上記Ｌ型アングルと略平行に延出するように上記一対の吊り下げ部の各挿入穴に挿通される第１の足場板支持材とを備えているので、足場板支持材の高さ位置が簡易に調整でき、体をかがめての延線作業をなくなり、作業者の作業効率を向上できるケーブル延線用仮設足場材が得られる。
【００３１】
また、上記本体部は、切り欠き部がその両端下辺にそれぞれ設けられ、穴がその両端部の両側辺に相対するように穿設されており、上記吊り下げ部は、軸受部がその上端に設けられており、上記吊り下げ部は、上記本体部内に挿入された上記軸受部が上記穴に挿通された軸部によって軸着されて上記本体部に取り付けられているので、吊り下げ部を軸部周りに回動させて本体部と略一直線の姿勢として第１の挿入孔に挿入できるとともに、吊り下げ部が自重により軸部周りに回動して本体部の両端部から垂下する姿勢を採ることができ、高さ調整部材の装着性が向上される。
【００３２】
また、上記穴は、上記本体部の長さ方向を長手方向とする長穴に形成されているので、吊り下げ部を軸部周りに回動させて本体部と略一直線とした後に本体内に押し入れることで、吊り下げ部を本体部と略一直線の姿勢に維持でき、装着性がさらに向上される。
【００３３】
また、上記吊り下げ部が伸縮自在に構成されているので、ケーブルラックの設置段数に合わせて足場板支持材の高さ位置を多段に調整でき、作業者の作業効率をさらに向上できる。
【図面の簡単な説明】
【図１】  この発明の実施の形態１に係るケーブル延線用仮設足場材の構成を説明する分解斜視図である。
【図２】  この発明の実施の形態１に係るケーブル延線用仮設足場材における高さ調整部材の構成を示す要部分解斜視図である。
【図３】  この発明の実施の形態１に係るケーブル延線用仮設足場材における高さ調整部材の動作を説明する斜視図である。
【図４】  この発明の実施の形態１に係るケーブル延線用仮設足場材における高さ調整部材の動作を説明する斜視図である。
【図５】  この発明の実施の形態１に係るケーブル延線用仮設足場材における高さ調整部材の動作を説明する正面図である。
【図６】  この発明の実施の形態１に係るケーブル延線用仮設足場材の取付状態を示す斜視図である。
【図７】  この発明の実施の形態２に係るケーブル延線用仮設足場材における高さ調整部材の吊り下げ部を示す斜視図である。
【図８】  従来のケーブル延線用仮設足場材の構成を説明する分解斜視図である。
【図９】  図８に示されるケーブル延線用仮設足場材の取付状態を示す斜視図である。
【図１０】  図８に示されるケーブル延線用仮設足場材の他の取付状態を示す斜視図である。
【符号の説明】
２  Ｌ型アングル、２ａ  水平片、３  保持枠、４  足場板支持材（第２の足場板支持材）、５  ケーブルラック、１０  保持部（第２の保持部）、１０ａ  挿入孔（第２の挿入孔）、１１  把持部、１２  支持腕（第１の保持部）、２９挿入孔（第１の挿入孔）、３０  高さ調整部材、３１  本体部、３１ａ  切り欠き部、３１ｂ  長穴、３２、３２Ａ  吊り下げ部、３４  軸受部、３５ａ  挿入穴、３６  軸部、４０  足場板支持材（第２の足場板支持材）、１００  ケーブル延線用仮設足場材。
【図１】
0004236071.tif 000002
【図２】
0004236071.tif 000003
【図３】
0004236071.tif 000004
【図４】
0004236071.tif 000005
【図５】
0004236071.tif 000006
【図６】
0004236071.tif 000007
【図７】
0004236071.tif 000008
【図８】
0004236071.tif 000009
【図９】
0004236071.tif 000010
【図１０】
0004236071.tif 000011